(57)【特許請求の範囲】
【請求項１】
ディスク再生部と、ディスク送りローラ駆動機構と、１つのモータ（３０）から回転力が入力される１つの入力歯車（３３）と負荷の相対的な大きさにより択一的に前記入力歯車の回転伝達が選択される２つの出力歯車（３４、３６）とを有する遊星歯車装置と、前記出力歯車の一方（３６）で駆動されるディスク再生部の光ピックアップ送り機構（３８）と、前記出力歯車の他方（３４）で駆動される多段歯車（２３）と、前記多段歯車（２３）と噛み合い可能なモードラック（２）と、前記モードラック（２）により駆動されるディスククランプ機構（６）と、前記多段歯車（２３）と同軸に回動自在に支持された振り子アーム（２７）と、前記振り子アーム（２７）に回転自在に支持され前記多段歯車（２３）と噛み合う振り子ギヤ（２６）と、ばね（４３）で付勢されており前記モードラック（２）のカム（２ａ）に作動され前記光ピックアップ送り機構（３８）と前記振り子ギヤ（２６）とを制動するピックアップロックレバー（３）と、前記多段歯車（２３）により駆動される前記ディスク送りローラ駆動機構によりローディング方向に送られたディスク（５Ｏ）により作動され前記モードラック（２）を前記多段歯車（２３）により駆動されるギヤ（２４）に噛み込む方向に押し出すトリガーアーム（４４）と、を備えたディスクプレーヤにおいて、ディスク挿入が検出されると、前記モータ（３０）がディスクローディング方向に回転されて前記ディスク送りローラ駆動機構により送られたディスクにより前記モードラック（２）が前記多段歯車（２３）により駆動されるギヤ（２４）と噛み込み状態とされ前記モードラック（２）がディスク再生位置方向に送られてディスク再生状態となり、ディスク再生状態から前記モータ（３０）が前記ディスクローディング方向と反対方向に回転されると、前記出力歯車の一方で駆動されるディスク再生部の光ピックアップ送り機構が軸受（３９）で停止されるまで送られた後前記出力歯車の他方により前記振り子アームと振り子ギヤとを介して前記ピックアップロックレバー（３）を前記ばね（４３）の弾力に抗して回動させると共に前記多段歯車（２３）により前記モードラック（２）をディスク再生位置方向と反対方向に送りかつ前記ディスク搬送機構によりディスクをローディング方向と反対方向に送るように構成したディスクプレーヤ。
【請求項２】
前記ディスク再生部のフローティング・ロック切替え機構を設け、前記モードラック（２）により前記フローティング・ロック切替え機構を駆動するように構成した請求項１のディスクプレーヤ。
【請求項３】
前記モードラック（２）のカム溝（２ｂ）により回動されるギヤ（４）によりサイドラック（５）を駆動し、前記サイドラック（５）により前記フローティング・ロック切替え機構とを駆動するように構成した請求項２のディスクプレーヤ。
【請求項４】
前記ディスク送りローラ駆動機構のディスク送りローラのディスクへの圧接・圧接解除機構を設け、前記モードラック（２）により前記送りローラのディスクへの圧接・圧接解除機構を駆動するように構成した請求項１から３のいずれかに記載したディスクプレーヤ。
【請求項５】
前記モードラック（２）のカム溝（２ｂ）により回動されるギヤ（４）によりサイドラック（５）を駆動し、前記サイドラック（５）により前記送りローラのディスクへの圧接・圧接解除機構を駆動するように構成した請求項１から４のいずれかに記載したディスクプレーヤ。
【発明の詳細な説明】
【０００１】
【発明の属する技術分野】
この発明はディスクプレーヤに係わり、特に、そのディスク搬送機構と、ディスククランプ機構と、光ピックアップ送り機構と、ディスク再生部のフローティング・ロック切替え機構との駆動装置に関する。
【０００２】
【従来の技術】
従来のディスクプレーヤの例を図３に示す。図に示すディスク送りローラはローディングモータで駆動され、ディスクをターンテーブルの真上まで送る。ローディングモータはディスク送りローラの他に図示していないディスククランプ機構とディスク再生部のフローティング・ロック切替え機構とを駆動する。光ピックアップ送りモータは光ピックアップをターンテーブルにクランプされたディスクの半径方向に送る。
【０００３】
【発明が解決しようとする課題】
上記した従来のディスクプレーヤは、ターンテーブルを回転駆動するディスクモータの他に２個のモータを必要として製造コストが高くなるという欠点があった。さらに、モータは大型の部品であるために装置全体が大型かつ重量となるという問題があった。
【０００４】
この発明は上記した点に鑑みてなされたものであって、その目的とするところは、ディスク搬送機構と、ディスククランプ機構と、ディスク再生部の光ピックアップ送り機構と、フローティング・ロック切替え機構との駆動を１つのモータで駆動するディスクプレーヤを提供することにある。
【０００５】
【課題を解決するための手段】
この発明のディスクプレーヤは、ディスク再生部と、ディスク送りローラ駆動機構と、１つのモータから回転力が入力される１つの入力歯車と負荷の相対的な大きさにより択一的に前記入力歯車の回転伝達が選択される２つの出力歯車とを有する遊星歯車装置と、前記出力歯車の一方で駆動されるディスク再生部の光ピックアップ送り機構と、前記出力歯車の他方で駆動される多段歯車と、前記多段歯車と噛み合い可能なモードラックと、前記モードラックにより駆動されるディスククランプ機構と、前記多段歯車と同軸に回動自在に支持された振り子アームと、前記振り子アームに回転自在に支持され前記多段歯車と噛み合う振り子ギヤと、ばねで付勢されており前記モードラックのカムに作動され前記光ピックアップ送り機構と前記振り子ギヤとを制動するピックアップロックレバーと、前記多段歯車により駆動される前記ディスク送りローラ駆動機構によりローディング方向に送られたディスクにより作動され前記モードラックを前記多段歯車により駆動されるギヤに噛み込む方向に押し出すトリガーアームと、を備えたディスクプレーヤにおいて、ディスク挿入が検出されると、前記モータがディスクローディング方向に回転されて前記ディスク送りローラ駆動機構により送られたディスクにより前記モードラックが前記多段歯車により駆動されるギヤと噛み込み状態とされ前記モードラックがディスク再生位置方向に送られてディスク再生状態となり、ディスク再生状態から前記モータが前記ディスクローディング方向と反対方向に回転されると、前記出力歯車の一方で駆動されるディスク再生部の光ピックアップ送り機構が軸受で停止されるまで送られた後前記出力歯車の他方により前記振り子アームと振り子ギヤとを介して前記ピックアップロックレバーを前記ばねの弾力に抗して回動させると共に前記多段歯車により前記モードラックをディスク再生位置方向と反対方向に送りかつ前記ディスク搬送機構によりディスクをローディング方向と反対方向に送るように構成したものである。
【０００６】
また、前記ディスクプレーヤにおいて、前記ディスク再生部のフローティング・ロック切替え機構を設け、前記モードラックにより前記フローティング・ロック切替え機構を駆動するように構成したものである。
【０００７】
また、前記ディスクプレーヤにおいて、前記モードラックのカム溝により回動されるギヤによりサイドラックを駆動し、前記サイドラックにより前記フローティング・ロック切替え機構とを駆動するように構成したものである。
【０００８】
また、前記各ディスクプレーヤにおいて、前記ディスク送りローラ駆動機構のディスク送りローラのディスクへの圧接・圧接解除機構を設け、前記モードラックにより前記送りローラのディスクへの圧接・圧接解除機構を駆動するように構成したものである。
【０００９】
さらに、前記各ディスクプレーヤにおいて、前記モードラックのカム溝により回動されるギヤによりサイドラックを駆動し、前記サイドラックにより前記送りローラのディスクへの圧接・圧接解除機構を駆動するように構成したものである。
【００１０】
【発明の実施の形態】
この発明の実施例であるディスクプレーヤを図面に基づいて説明する。図１はこの発明の実施例であるディスクプレーヤの要部を示す平面図である。但し、図中ａおよびｂの符号で示す一点鎖線で囲まれた部分は部分側断面を示す。図２（ａ）は同ディスクプレーヤの要部を示す側面図である。図において、１はピックアップユニット４０、ターンテーブル１０等で構成されるディスク再生部を支持するフローティング部であり、再生中は図示していないばねおよびダンパーにより固定シャーシに対して浮動状態に支持される。
【００１１】
２はモードラックであり、フローティング部１に図示の矢印方向に摺動自在に支持されている。モードラック２の端面にはカム２ａとラック２ｃが形成され中央部にはカム溝２ｂが形成され、引張りコイルばね４５により図１において上方に付勢されている。ピックアップロックレバー３はフローティング部１の軸３ａを介して回動自在に支持されており、引張りコイルばね４３により図１において時計方向に付勢されている。ピックアップロックレバー３に立設された軸３ｂはモードラック２のカム２ａと摺接する。ピックアップロックレバー３は実線と点線で２つの回動位置が示されている。
【００１２】
ギヤ４はフローティング部１に回転自在に支持された軸４ａと一体となっている。軸４ａと一体のアーム４ｂに立設された軸４ｃはモードラック２のカム溝２ｂと係合している。サイドラック５はフローティング部１に摺動自在に支持され、サイドラック５に立設されロックピン５ａ、５ａは固定シャーシに設けられたロック部材８、８に係止可能となっている。サイドラック５に設けられたラック５ｂはギヤ４と噛合っている。
【００１３】
図２（ａ）に示すクランプアーム６は軸６ａを介してフローティング部１に回転自在に支持され、引張りコイルばね７により反時計方向に付勢されている。クランプアーム６に設けられた軸６ｂはサイドラック５のカム５ｄに圧接されている。クランパ９はクランプアーム６に回転自在に支持され、図示していないディスクモータの回転軸に固着されたターンテーブル１０と対向している。ディスクモータはフローティング部１に固定されている。
【００１４】
図１、図２（ａ）および図２（ｂ）に示されているアイドラギヤ１１はウォーム１１ａと一体となっており、フローティング部１に回転自在に支持されている。図２（ａ）に示すディスクガイド１２はフローティング部１に固定されている。ギヤ１３はディスク搬送ローラ１４の軸１４ａに固着されている。軸１４ａはローラレバー１５および１６に回転自在に支持されている。ローラレバー１５および１６は夫々軸１５ａおよび１６ａを介してフローティング部１に回動自在に支持されている。
【００１５】
ローラレバー１５に立設された軸１５ｂはサイドラック５のカム溝５ｃと係合している。ねじりコイルばね４６は軸１５ｂとフローティング部１に掛けられており、ローラレバー１５を図２（ａ）において反時計方向に付勢する。なお、カム溝５ｃの一部の幅は軸１５ｂの直径より大きく、その部分ではねじりコイルばね４６の弾力によりローラレバー１５は反時計方向に回動される。
【００１６】
ディスク検出アーム１７および１８は夫々軸１７ａおよび１８ａを介してフローティング部１に回動自在に支持され、引張りコイルばね１９および２０により時計方向および反時計方向に付勢されている。ディスク検出スイッチ２１および２２はフローティング部１に固定されディスク検出アーム１７および１８の夫々の突起１７ｃおよび１８ｃに臨んでいる。ディスク検出アーム１７および１８の夫々の軸１７ｂおよび１８ｂはディスク５０の通路に突出している。
【００１７】
モータ３０はフローティング部１に固定されており、その回転軸に固着されたウォーム３１はフローティング部１に軸３２ａを介して回転自在に支持されたウォームホイール３２と噛合っている。フローティング部１に固定された軸３３ａは太陽ギヤ３３、キャリアギヤ３４および内歯ギヤ３６を同軸に回転自在に支持している。キャリアギヤ３４に立設された軸３４ａ、３４ａは遊星ギヤ３５、３５を回転自在に支持している。
【００１８】
太陽ギヤ３３の大歯車はウォームホイール３２と噛合い、小歯車は遊星ギヤ３５、３５と噛合っている。遊星ギヤ３５、３５はさらに内歯ギヤ３６の内歯と噛合っいる。太陽ギヤ３３、遊星ギヤ３５、３５、キャリアギヤ３４および内歯ギヤ３６は遊星歯車装置を構成しており、太陽ギヤ３３の回転力はキャリアギヤ３４および内歯ギヤ３６の双方に伝えられるがその一方の回転が阻止されると他方のみが回転される。
【００１９】
内歯ギヤの外歯はリードスクリュウ３８に固着されたギヤ３７と噛合っている。リードスクリュウ３８は軸受３９、３９を介してフローティング部１に回転自在に支持されており、ピックアップユニット４０と螺合している。
【００２０】
フローティング部１に固定されたレール４１はピックアップユニット４０を案内する。フローティング部１に固定されたマイクロスイッチ４２はピックアップユニット４０が図示の内周側位置にあるときピックアップユニット４０により作動される。トリガーアーム４４は軸４４ａを介してフローティング部１に回動自在に支持されており、それに立設された軸４４ｃはモードラック２と当接する。
【００２１】
さらに、トリガーアーム４４に立設された軸４４ｂはディスク５０の移動路に突出している。
【００２２】
フローティング部１に固定された軸２３ａは３段ギヤ２３および振り子アーム２７を同軸に回転自在に支持している。振り子アーム２７は軸２７ａを介して振り子ギヤ２６を回転自在に支持している。振り子アーム２７と振り子ギヤ２６との間に介装されたさらばね２８は振り子アーム２７と振り子ギヤ２６との間に摩擦抵抗を生じさせる。
【００２３】
フローティング部１に固定されたストッパー２９は振り子アーム２７に立設された軸２７ｂと当接し振り子アーム２７の回動範囲を規制する。振り子アーム２７およびピックアップロックレバー３の２位置は夫々実線と点線で示している。
【００２４】
ピックアップロックレバー３が点線の位置にあるときそれに形成された歯が振り子ギヤ２６と噛合い振り子ギヤ２６の回転を阻止する。
【００２５】
３段ギヤ２３の中段のギヤはキャリアギヤ３４と噛合っている。なお図面では噛合い状態を図示していない。３段ギヤ２３の上段のギヤは振り子ギヤ２６と噛合い、下段のギヤはフローティング部１に軸２４ａを介して回転自在に支持されたギヤ２４と噛合っている。ギヤ２４はさらにフローティング部１に回転自在に支持されたウォームギヤ２５と噛合っている。ウォームギヤ２５は先に説明したウォーム１１ａと噛合っている。ウォームギヤ２５とウォーム１１ａとの噛合い状態は図２（ｂ）に示している。
【００２６】
実施例は以上のように構成されているが、次にその作用を説明する。ピックアップロックレバー３が実線の位置にある非ローディング状態で使用者がディスク５０を装置内に挿入すると、ディスク検出アーム１７、１８が回動し、ディスク検出スイッチ２１、２２が作動する。ディスク検出スイッチ２１、２２の少なくとも一方が作動すると制御装置のマイクロコンピュータはモータ３０をディスクローディング方向に回転させる。
【００２７】
この時ピックアップユニット４０はピックアップロックレバー３に阻止されて内歯ギヤ３６は回転できないが、振り子ギヤ２６はピックアップロックレバー３に係止されておらず、３段ギヤ２３は回転できる。３段ギヤ２３が反時計方向に回転すると振り子アーム２７は摩擦力により反時計方向に回動されて図示の実線の位置にある。この状態では遊星歯車装置は歯車列を介してディスク搬送ローラ１４を回転させる。そして、ねじりコイルばね４６の弾力によりディスク搬送ローラ１４とディスクガイド１２はディスク５０を挾持して装置内部へ送り込む。
【００２８】
ディスク５０の先端がトリガーアーム４４の軸４４ｂを押すとトリガーアーム４４は軸４４ｃによりモードラック２を引張りコイルばね４５の弾力に抗して押す。するとモードラック２のラック２ｃがギヤ２４と噛合うようになり、ギヤ２４の時計方向の回転によりモードラック２はさらに移動する。
【００２９】
このようにモードラック２が移動すると、ギヤ４が時計方向に回転し、サイドラック５が図１中で下方に移動する。そして軸５ａがロック部材８から開放されてフローティング部１が浮動状態となる。また、ローラレバー１５は図２（ａ）中で時計方向に回動し、ディスク搬送ローラ１４がディスク５０から離れる。さらに、クランプアーム６は図２（ａ）中で反時計方向に回動し、クランパー９がディスク５０をクランプする。
【００３０】
モードラック２がさらに移動すると、引張りコイルばね４３の弾力により軸３ｂがカム２ａと摺接しながらピックアップロックレバー３は時計方向に回動し、図１中で点線の位置に来る。すると、ピックアップロックレバー３はピックアップユニット４０の係止状態を解除し、振り子ギヤ２６を係止する。この状態では遊星歯車装置はディスク搬送ローラ１４を回転させることなく、ピックアップユニット４０を図１中で上方に送る。すると、マイクロスイッチ４２が作動してローディング終了が検出される。ローディング終了後、モータ３０がローデイグ方向に回転されると、ピックアップユニット４０が図１中で上方に送られてディスクが再生される。
【００３１】
次に、ディスクイジェクト動作について説明する。このとき制御装置によりモータ３０は上記ローデイグ方向と反対方向に回転される。そして、振り子ギヤ２６はピックアップロックレバー３に係止されており、一方、ピックアップユニット４０の移動は阻止されていないので遊星歯車装置はピックアップユニット４０を図１中で上方に送る。ピックアップユニット４０が軸受３９に当接すると、遊星歯車装置の内歯ギヤ３６は停止し、振り子ギヤ２６および振り子アーム２７に大きいトルクが加わり引張りコイルばね４３の弾力に抗してピックアップロックレバー３は図１中で反時計方向に回動される。なお、このときモードラック２は図１中で下方に移動しており、ピックアップロックレバー３の回動は阻止されない。
【００３２】
遊星歯車装置はギヤ２４を反時計方向に回転させてモードラック２を図１中上方に移動させ、フローティング部１を固定状態にし、クランプアーム６およびローラレバー１５をローディング時と逆方向に回動させ、さらに、ディスク搬送ローラを逆転させてディスクを装置外に排出する。イジェクト終了はディスク検出スイッチ２１、２２がオン・オフ・オンと作動することで検出される。
【００３３】
【発明の効果】
この発明によれば、１つのモータでディスク搬送機構、ディスククランプ機構、光ピックアップ送り機構および再生部のフローティング・ロック切替え機構が駆動できるので小型、軽量、低コストのディスクプレーヤを提供できる。
【図面の簡単な説明】
【図１】この発明の実施例であるディスクプレーヤの要部を示す平面図である。但し、図中ａおよびｂの符号で示す一点鎖線で囲まれた部分は部分側断面を示す。
【図２】図２（ａ）は同ディスクプレーヤの要部を示す側面図である。図２（ｂ）は同ディスクプレーヤの部分斜視図である。
【図３】従来のディスクプレーヤの例を示す平面図である。
【符号の説明】
１  フローティング部
２  モードラック、２ａ  カム、２ｂ  カム溝、２ｃ  ラック
３  ピックアップロックレバー、３ａ  軸、３ｂ  軸
４  ギヤ、４ａ  軸、４ｂ  アーム、４ｃ  軸
５  サイドラック、５ａ  ロックピン、５ｂ  ラック、５ｃ  カム溝、５ｄ  カム
６  クランプアーム、６ａ、６ｂ  軸
７  引張りコイルばね
８  ロック部材
９  クランパ
１０  ターンテーブル
１１  アイドラギヤ、１１ａ  ウォーム
１２  ディスクガイド
１３  ギヤ
１４  ディスク搬送ローラ、１４ａ  軸
１５  ローラレバー、１５ａ  軸、１５ｂ  軸
１６  ローラレバー、１６ａ  軸
１７  ディスク検出アーム、１７ａ  軸、１７ｂ  軸、１７ｃ  突起
１８  ディスク検出アーム、１８ａ  軸、１８ｂ  軸、１８ｃ  突起
１９、２０  引張りコイルばね
２１、２２  ディスク検出スイッチ
２３  ３段ギヤ、２３ａ  軸
２４  ギヤ
２５  ウォームギヤ
２６  振り子ギヤ
２７  振り子アーム、２７ａ  軸、２７ｂ  軸
２８  さらばね
２９  ストッパー
３０  モータ
３１  ウォーム
３２  ウォームホイール、３２ａ軸
３３  太陽ギヤ、３３ａ  軸
３４  キャリアギヤ、３４ａ  軸
３５  遊星ギヤ
３６  内歯ギヤ
３７  ギヤ
３８  リードスクリュウ
３９  軸受
４０  ピックアップユニット
４１  レール
４２  マイクロスイッチ
４３  引張りコイルばね
４４  トリガーアーム、４４ａ、４４ｂ、４４ｃ  軸
４５  引張りコイルばね
４６  ねじりコイルバネ
５０  ディスク
【図１】
0003576704.tif 000002
【図２】
0003576704.tif 000003
【図３】
0003576704.tif 000004